(57)【要約】 【課題】オーバーフロー管を有する雨水貯留システムにおいて排水箇所の許容水量までは排出能力及び排出効率の低下を招くことなく排水可能であり、且つ、貯水部が満水状態に達したため流入水がオーバーフローして排水される状態のうち、排水箇所の許容水量以上に雨水が流出する場合に排水箇所での雨水の氾濫を防止することができる雨水貯留システムを提供する。【解決手段】貯水部１１内の水位が所定の水位を超えたときにその超過した分の雨水を貯水部１１内から所定の排水箇所である下水管２１に排出するためのオーバーフロー管２４に、貯水部１１内からオーバーフロー管２４内に単位時間に流入する雨水の量が所定の量を超えたとき、下水管２１への雨水の排出量を抑制するための抑制手段３０を設ける。【選択図】図１
2008190196.tif 000002
【特許請求の範囲】
【請求項１】
雨水を貯留するための貯水部と、該貯水部に設けられ、該貯水部内の水位が所定の水位を超えたときにその超過した分の雨水を前記貯水部内から所定の排水箇所に排出するためのオーバーフロー管とを備え、該オーバーフロー管には、前記貯水部内から前記オーバーフロー管内に単位時間に流入する雨水の量が所定の量を超えたとき、前記排水箇所への雨水の排出量を抑制するための抑制手段が設けられていることを特徴とする雨水貯留システム。
【請求項２】
前記オーバーフロー管は、前記貯水部に接続され前記所定の水位に対応する位置で前記貯水部内の貯留水を開放する第一の排水管部と、前記排水箇所に接続される第二の排水管部とに分割されており、前記抑制手段は、前記第一の排水管部及び前記第二の排水管部間に配置されており、前記貯水部から前記第一の排水管部を経て案内された雨水を受け入れる受入部を備え、該受入部は、前記第一の排水管部から流入する雨水の量が前記所定の量を超えたとき、前記受入部内で雨水に前記第二の排水管部に向けての渦流を生じさせることを特徴とする請求項１に記載の雨水貯留システム。
【発明の詳細な説明】
【技術分野】
【０００１】
本発明は、雨水を貯留するための雨水貯留システムに関する。
【背景技術】
【０００２】
従来、例えば住宅地の雨水の停滞及び河川の氾濫等の防止のために、雨水を一時的に貯留するための雨水貯留システムが知られている（例えば、特許文献１参照。）。この雨水貯留システムは、地面を掘削することにより形成された貯水部を備える。貯水部には、管部材からなる流出管及び／又はオーバーフロー管が設けられている。流出管は、貯水部内の水を貯水部内から例えば下水管に案内する。また、オーバーフロー管は、貯水部内の水位が所定の水位を超えたときにその超過した分の雨水を貯水部内から例えば下水管に案内する。これにより、雨水が貯水部内に前記所定の水位を超えることが防止されるので、雨水が前記所定の水位を超えて貯水部内から溢れ出ることが防止される。従って、雨水が貯水部内から溢れ出ることによる例えば住宅地への水害の発生を防止することができる。
【特許文献１】特開２００４−１９１２２号公報
【発明の開示】
【発明が解決しようとする課題】
【０００３】
しかしながら、オーバーフロー管が単に管部材からなり、オーバーフロー管に例えば下水管のような所定の排水箇所への排水量を抑制するための格別な手段は設けられていないことから、貯水部からオーバーフロー管への雨水の単位時間当たりの流入量とオーバーフロー管から前記排水箇所への雨水の単位時間当たりの流出量とがほぼ等しくなるため、特にオーバーフロー管の断面積が大きい場合にはオーバーフロー管内への大量の雨水の流入が可能であることから、例えば洪水の発生時にオーバーフロー管内に単位時間に大量の雨水が流入したとき、単位時間当たりの排出量が抑制されることなく大量の雨水がオーバーフロー管から前記排水箇所に一気に排出されてしまう。このため、前記排水箇所での雨水の氾濫を招く。
【０００４】
前記排水箇所での雨水の氾濫を防止するためにオーバーフロー管の断面積を小さくすることが考えられるが、オーバーフロー管の容量が小さくなり、オーバーフロー管内への雨水の流入量が減少することから、オーバーフロー管の排出能力の低下を招く。また、オーバーフロー管の断面積が小さいと、雨水に含まれる塵埃がオーバーフロー管内に詰まり易くなるため、引っ掛かった塵埃によりオーバーフロー管による排水効率が低下する虞がある。
【０００５】
そこで、本発明の目的は、オーバーフロー管を有する雨水貯留システムにおいて排水箇所の許容水量までは排出能力及び排出効率の低下を招くことなく排水可能であり、且つ、貯水部が満水状態に達したため流入水がオーバーフローして排水される状態のうち、排水箇所の許容水量以上に雨水が流出する場合に排水箇所での雨水の氾濫を防止することができる雨水貯留システムを提供することにある。
【課題を解決するための手段】
【０００６】
上記課題を解決するために、請求項１に記載の発明は、雨水を貯留するための貯水部と、該貯水部に設けられ、該貯水部内の水位が所定の水位を超えたときにその超過した分の雨水を前記貯水部内から所定の排水箇所に排出するためのオーバーフロー管とを備え、該オーバーフロー管には、前記貯水部内から前記オーバーフロー管内に単位時間に流入する雨水の量が所定の量を超えたとき、前記排水箇所への雨水の排出量を抑制するための抑制手段が設けられていることを特徴とする。
【０００７】
請求項２に記載の発明は、請求項１に記載の発明において、前記オーバーフロー管は、前記貯水部に接続され前記所定の水位に対応する位置で前記貯水部内の貯留水を開放する第一の排水管部と、前記排水箇所に接続される第二の排水管部とに分割されており、前記抑制手段は、前記第一の排水管部及び前記第二の排水管部間に配置されており、前記貯水部から前記第一の排水管部を経て案内された雨水を受け入れる受入部を備え、該受入部は、前記第一の排水管部から流入する雨水の量が前記所定の量を超えたとき、前記受入部内で雨水に前記第二の排水管部に向けての渦流を生じさせることを特徴とする。
【発明の効果】
【０００８】
請求項１に記載の発明によれば、貯水部内の水位が所定の水位を超えたときにその超過した分の雨水を貯水部内から所定の排水箇所に排出するためのオーバーフロー管には、貯水部内からオーバーフロー管内に単位時間に流入する雨水の量が所定の量を超えたとき、前記排水箇所への雨水の排出量を抑制するための抑制手段が設けられていることから、オーバーフロー管内への雨水の単位時間当たりの流入量が前記所定の量を超えたとき、抑制手段の抑制作用により、オーバーフロー管から前記排水箇所への雨水の単位時間当たりの流出量が貯水部からオーバーフロー管への雨水の単位時間当たりの流入量よりも少なくなる。
【０００９】
これにより、オーバーフロー管の断面積が大きい場合でも、例えば洪水の発生時にオーバーフロー管に単位時間に大量の雨水が流入したとき、その量が前記所定の量を超えた場合には、抑制手段により排水量が抑制されることにより、大量の雨水がオーバーフロー管から前記排水箇所に一気に排出されることが防止される。これにより、従来のような前記排水箇所での雨水の氾濫を確実に防止することができる。
【００１０】
また、オーバーフロー管内に雨水が大量に流入した場合でもオーバーフロー管から前記排水箇所への排水量が抑制されることから、前記排水箇所での雨水の氾濫を防止するためにオーバーフロー管の断面積を小さくする必要はなく、オーバーフロー管の断面積を大きくすることができる。これにより、オーバーフロー管の容積が大きくなることから、オーバーフロー管内への雨水の流入量が増大するので、前記排水箇所での雨水の氾濫を防止するためにオーバーフロー管の断面積を小さくすることによるオーバーフロー管の従来のような排水能力の低下を確実に防止することができる。
【００１１】
更に、オーバーフロー管の断面積を大きくすることができることから、雨水に含まれる塵埃がオーバーフロー管内を容易に流通することができるので、前記排水箇所での雨水の氾濫を防止すべくオーバーフロー管の断面積を小さくすることによって塵埃がオーバーフロー管内に詰まることによるオーバーフロー管の従来のような排水効率の低下を確実に防止することができる。
【００１２】
請求項２に記載の発明によれば、抑制手段は貯水部から第一の排水管部を経て案内された雨水を受け入れる受入部を備え、該受入部は、オーバーフロー管の第一の排水管部から流入する雨水の量が前記所定の量を超えたとき、受入部内で雨水にオーバーフロー管の第二の排水管部に向けての渦流を生じさせることから、受入部内への雨水の流入量が前記所定の量を超えたとき、受入部内に流入した雨水は、受入部内で旋回することにより減速した後、第二の排水管部に流入する。これにより、受入部内から第二の排水管部内への雨水の単位時間あたりの流出量が、第一の排水管部から受入部内への単位時間当たりの流入量よりも少なくなるので、例えば洪水の発生時に第一の排水管部に大量の雨水が流入した場合でも、その量が前記所定の量を超えた場合、大量の雨水が第二の排水管部から前記排水箇所に一気に排出されることを確実に防止することができる。
【発明を実施するための最良の形態】
【００１３】
本発明を図示の実施例に沿って説明する。
【実施例】
【００１４】
本発明に係る雨水貯留システム１０は、図１に示すように、雨水を貯留するための貯水部１１を備える。
【００１５】
貯水部１１は、地面を掘り下げることにより形成されており、好ましくは、安全上及び環境上の考慮から、地中に埋設された構成となる。貯水部１１の上面１２には、図示の例では、防水性を有する例えば合成樹脂からなる防水被覆部材１３が上面１２を覆うように設けられている。貯水部１１の底面１４は、図示の例では、矩形状をなした平坦面である。底面１４上には、例えば割栗石のような石を敷き詰めることにより基礎部１５が形成されており、該基礎部上にも防水被覆部材１６が敷設されている。貯水部１１の側面１１ａ上には、前記したと同様の防水被覆部材１８が設けられている。上面１２上、基礎部１５上及び側面１１ａ上への防水被覆部材１３，１６，１８の設置により、貯水部１１内に雨水が貯留される。各防水被覆部材１３，１６，１８の上に図示しない保護被覆部材を設けることがより好ましい。
【００１６】
貯水部１１の上部には、図示の例では、住宅１７の周囲に設けられた排水溝１９内の雨水を貯水部１１内に案内するための流入管２０が接続されている。排水溝１９は、従来よく知られているように、地中に埋設された下水管２１（図３参照。）に連通しており、住宅１７の周囲の氾濫を防止すべく雨水を下水管２１に案内する流路を規定する。流入管２０は、図示の例では、貯水部１１の図１で見て左側に位置する側面１１ａに接し且つ軸線が上下方向を向くように貯水部１１内に配置された筒状のマンホール２２に接続されている。マンホール２２は、図示の例では、コンクリートからなり、流入管２０により案内された雨水を一時的に貯留する。
【００１７】
マンホール２２の側壁２２ａには、貯水部１１内のマンホール２２以外の空間内に開放し、マンホール２２内に流入した雨水を前記空間内に流出させるための流出口２３が形成されている。流出口２３は、マンホール２２の側壁２２ａに流入管２０の下方で形成されている。これにより、流入管２０からマンホール２２内に流入した雨水の水位が上昇したとき、雨水の水位は流入管２０の高さ位置に達する前に流出口２３の高さ位置に達し、雨水はマンホール２２内から貯水部１１の前記空間内に流出口２３を経て流出する。
【００１８】
また、貯水部１１の側面１１ａには、貯水部１１内の水位が所定の水位を超えたときにその超過した分の雨水を貯水部１１内から下水管２１に排出するためのオーバーフロー管２４が設けられている。オーバーフロー管２４は、図示の例では、管部材からなり、地表面０の高さ位置よりも低い位置でマンホール２２に接続されている。貯水部１１の前記空間内の水位がマンホール２２内の水位と等しくなり、このため、マンホール２２内の水位が流出口２３の高さ位置を越えて上昇したとき、マンホール２２内の水位すなわち貯水部１１内の水位は地表面０の高さ位置に達する前にオーバーフロー管２４の高さ位置に達し、雨水はオーバーフロー管２４内に流入して下水管２１に排出される。これにより、貯水部１１内の雨水が該貯水部内からその外方に溢れ出ることが防止され、更に、貯水部１１内の雨水が流入管２０内に逆流することが防止される。
【００１９】
貯水部１１の前記空間内には、貯水部１１の周囲からの土圧により貯水部１１の側面１１ａが崩れることを防止するための複数の充填部材２５が配置されている。
【００２０】
各充填部材２５は、図１に示す例では、それぞれポリエチレン、ポリプロピレン及び塩化ビニルのような合成樹脂からなり、平面がほぼ正方形をなした板部材からなる。各充填部材２５は、貯水部１１の基礎部１５上にマトリックス状に整列して配置され、更に、貯水部１１内を充填するように該貯水部の深さ方向に積層されている。各充填部材２５は、図２に示すように、その四つの角部を構成する四本の柱状の連結部２６と、該連結部に固定され、水平面に対して所定の角度で傾斜する平坦な板状の傾斜板部２７とを備える。
【００２１】
各連結部２６は、図示の例では、それぞれ横断面が二等辺三角形をなした筒状をなしており、軸線が上下方向を向き且つ斜辺が各充填部材２５の内方へ向くように配置されている。各連結部２６の下端２６ａには、互いに重なり合った他の充填部材２５の対応する連結部２６の上端２６ｂに嵌合可能な嵌合部分２８が形成されている。各充填部材２５を互いに重ね合わせたときに、各充填部材２５の各連結部２６の嵌合部分２８を、他の充填部材２５の対応する各連結部２６の上端２６ｂにそれぞれ嵌合させることにより、互いに重なり合った各充填部材２５を互いに連結することができる。互いに重なり合った各充填部材２５間に、図１に示すように、両充填部材２５の連結部２６に接続可能なスペーサ部材Ｓを配置することにより、両充填部材２５間の間隔を調節することができる。また、各層を構成する複数の充填部材２５は、図示しない連結手段により互いに連結される。
【００２２】
傾斜板部２７の傾斜角度は、雨水に含まれる砂及び泥が傾斜板部２７上に滞留することなく雨水と共に傾斜板部２７上を図２に示す矢印の方向へ容易に流れる大きさに設定されている。
【００２３】
各充填部材２５は、図１に示す例では、それぞれ傾斜板部２７の傾斜が貯水部１１の基礎部１５の図１で見て左側の端部に向けて下り勾配となるように、基礎部１５上に整列して配置され、更に、傾斜板部２７の高さ位置が貯水部１１の深さ方向に沿って互いにずれるように積層されている。これにより、貯水部１１内に導入された雨水及びそれに含まれる砂及び泥は、各充填部材２５の傾斜板部２７上を順次流れ落ち、貯水部１１の基礎部１５の前記端部に向けて誘導される。
【００２４】
貯水部１１の周囲からその内方に向けての土圧は、互いに隣接した各充填部材２５間でそれらを圧縮する圧縮力として受け止められるので、土圧による貯水部１１の側壁１１ａの崩れが防止される。
【００２５】
貯水部１１の基礎部１５前記端部には、図１に示すように、各充填部材２５により誘導された砂及び泥を貯留するための集砂溝部２９が設けられている。集砂溝部２９は、図示の例では、最下層を構成する各充填部材２５のうち図１で見て左から二番目の充填部材２５と該充填部材に基礎部１５上で縦並び方向又は横並び方向に連結された各充填部材２５とで規定される列の下方で該列に沿って伸び且つ上方へ開放するように基礎部１５に形成されている。集砂溝部２９の内周面は、図示の例では、コンクリートにより固められている。これにより、集砂溝部２９内から基礎部１５に砂及び泥が浸透することが防止される。
【００２６】
集砂溝部２９内に貯留された砂及び泥を除去する際、例えば、集砂溝部２９と地上とを連通する図示しない通路を地中に形成し、該通路内に図示しない吸引装置のホースを挿入し、前記吸引装置の作動により前記ホースを経て集砂溝部２９内の砂及び泥を吸引する。
【００２７】
本発明に係る雨水貯留システム１０では、貯水部１１内からオーバーフロー管２４内に単位時間に流入する雨水の量が所定の量を超えたとき、下水管２１への雨水の排出量を抑制するための抑制手段３０がオーバーフロー管２４に設けられている。
【００２８】
また、本発明に係る雨水貯留システム１０では、オーバーフロー管２４は、一端３１ａがマンホール２２に接続される第一の排水管部３１と、一端３２ａ（図３参照。）が下水管２１に接続される第二の排水管部３２とに分割されている。
【００２９】
抑制手段３０は、図３に示すように、第一の排水管部３１と第二の排水管部３２との間に配置されており、ハウジング３３と、該ハウジング内に収納され、貯水部１１内からの雨水を受け入れる受入部３４とを備える。
【００３０】
ハウジング３３は、図３及び図４に示す例では、矩形状をなした底壁３５と、該底壁の各縁部から立ち上がる四つの側壁３６と、該各側壁の上端を互いに連結する頂壁３７とを有し、全体に直方体をなしている。底壁３５には、その中心から一の側壁３６に向けて伸び、ハウジング３３内に開放し且つ前記一の側壁３６の下部３６ａに形成された貫通孔３８でハウジング３３の外方に開放する流路溝３９が形成されている。貫通孔３８には第二の排水管部３２の他端３２ｂが嵌合されている。これにより、流路溝３９と第二の排水管部３２とが互いに連通している。前記一の側壁３６に対向する他の側壁３６には、該他の側壁を貫通する貫通孔４０が形成されており、該貫通孔内には第一の排水管部３１が挿入されている。
【００３１】
受入部３４は、図示の例では、ポリ塩化ビニルのような合成樹脂からなり、円形の底板４１及び頂板４２と筒状の周壁４３とを有し、全体に両端が閉鎖された円筒状をなしている。周壁４３には、第一の排水管部３１の他端３１ｂが接続される流入孔４４が形成されている。マンホール２２内から第一の排水管部３１内に流入した雨水は流入孔４４を経て受入部３４内に流入する。底板４１の中心には、受入部３４内に受け入れた雨水を該受入部内の外方に流出するための流出孔４５が形成されている。受入部３４は、その軸線が上下方向を向き且つ流出孔４５が流路溝３９上に位置するようにハウジング３３内に配置されている。これにより、受入部３４内から流出孔４５を経て受入部３４の下方に流出した雨水は、流路溝３９内に流入し、更に、該流路溝内を通って第二の排水管部３２内に流入する。
【００３２】
第一の排水管部３１は、その軸線が受入部３４の周壁４３の流入孔４４における接線に沿うように流入孔４４に接続されている。これにより、雨水は受入部３４内に接線方向に流入するので、第一の排水管部３１から受入部３４内に流入する雨水の流速が所定の速度を超えたとき、雨水は周壁４３に沿って流れることにより受入部３４内で周壁４３及び底板４１上を旋回する。
【００３３】
第一の排水管部３１から受入部３４内に流入する雨水の流速は、従来よく知られているように、第一の排水管部３１から受入部３４内への雨水の単位時間当たりの排出量に比例し、図示の例では、雨水が受入部３４内で旋回可能となる前記所定の速度は、第一の排水管部３１から受入部３４内への雨水の単位時間当たりの排出量が下水管２１の単位時間当たりの最大排水量に等しくなるときの大きさに設定されている。すなわち、受入部３４は、第一の排水管部３１から流入する雨水の量が下水管２１の単位時間当たりの最大排水量を超えたとき、受入部３４内で雨水に渦流を生じさせる。
【００３４】
雨水は、受入部３４内で旋回することにより減速した後、流出孔４５を経て受入部３４から流路溝３９内に流入する。これにより、受入部３４内から第二の排水管部３２内への雨水の単位時間あたりの流出量が、第一の排水管部３１から受入部３４内への単位時間当たりの流入量よりも少なくなる。従って、第二の排水管部３２内を経て下水管２１に排出される雨水の量が抑制される。
【００３５】
他方、第一の排水管部３１から流入する雨水の量が下水管２１の単位時間当たりの最大排水量より少ないときは、受入部３４内に流入した雨水は、受入部３４内で周壁４３に沿って旋回することなく底板４１上を流出孔４５に向けて流れ、該流出孔から流出する。
【００３６】
このように、貯水部１１内からオーバーフロー管２４内に単位時間に流入する雨水の量が所定の量すなわち下水管２１の単位時間当たりの最大排水量を超えたとき、下水管２１への雨水の排出量を抑制するための抑制手段３０がオーバーフロー管２４に設けられており、抑制手段３０は貯水部１１から第一の排水管部３１を経て案内された雨水を受け入れる受入部３４を備え、該受入部は、オーバーフロー管２４の第一の排水管部３１から流入する雨水の量が前記所定の量を超えたとき、受入部３４内で雨水にオーバーフロー管２４の第二の排水管部３２に向けての渦流を生じさせることから、受入部３４内への雨水の流入量が前記所定の量を超えたとき、受入部３４内に流入した雨水は、受入部３４内で旋回することにより減速した後、第二の排水管部３２に流入する。
【００３７】
これにより、第一の排水管部３１内への雨水の単位時間当たりの流入量が前記所定の量を超えたとき、抑制手段３０の抑制作用により、受入部３４内から第二の排水管部３２内への雨水の単位時間あたりの流出量が、第一の排水管部３１から受入部３４内への単位時間当たりの流入量よりも少なくなるので、第二の排水管部３２から下水管２１への雨水の単位時間当たりの流出量が貯水部１１から第一の排水管部３１への雨水の単位時間当たりの流入量よりも少なくなる。
【００３８】
これにより、第一及び第二の各排水管部３１，３２の断面積がそれぞれ大きい場合でも、例えば洪水の発生時に第一の排水管部３１に大量の雨水が流入した場合でも、その量が前記所定の量を超えた場合、大量の雨水が第二の排水管部３２から下水管２１に一気に排出されることを確実に防止することができる。
【００３９】
従って、排水箇所での従来のような雨水の氾濫を確実に防止することができる。
【００４０】
また、第一の排水管部３１内に雨水が大量に流入した場合でも第二の排水管部３２から下水管２１への排水量が抑制されることから、下水管２１での雨水の氾濫を防止するために第一及び第二の各排水管部３１，３２の断面積をそれぞれ小さくする必要はなく、両排水管部３１，３２の断面積をそれぞれ大きくすることができる。これにより、オーバーフロー管２４全体の容積が大きくなることから、オーバーフロー管２４への雨水の流入量が増大するので、下水管２１での雨水の氾濫を防止するためにオーバーフロー管２４の断面積を小さくすることによるオーバーフロー管２４の従来のような排水能力の低下を確実に防止することができる。
【００４１】
更に、第一及び第二の各排水管部３１，３２の断面積をそれぞれ大きくすることができることから、雨水に含まれる塵埃が両排水管部３１，３２内を容易に流通することができるので、下水管２１での雨水の氾濫を防止すべく両排水管部３１，３２の断面積をそれぞれ小さくすることによって塵埃が各排水管部３１，３２内に詰まることによるオーバーフロー管２４の従来のような排水効率の低下を確実に防止することができる。
【００４２】
本実施例では、受入部３４が、その軸線を上下方向に沿わせてハウジング３３内に配置された例を示したが、これに代えて、受入部３４をその軸線が横方向を向くように配置することができる。この場合、ハウジング３３に流路溝３９を形成することなく、第二の排水管部３２をハウジング３３の前記一の側壁３６の貫通孔３８を経て前記一の側壁３６を貫通させて第二の排水管部３２の他端３２ｂを受入部３４の流出孔４５に直接接続することができる。
【００４３】
また、本実施例では、下水管２１への雨水の排出量を抑制するための抑制手段３０がハウジング３３を備える例を示したが、これに代えて、ハウジング３３を不要とすることができる。この場合、第二の排水管部３２の他端３２ｂを受入部３４の流出孔４５に直接接続することができる。
【００４４】
更に、本実施例では、下水管２１への雨水の排出量を抑制するための抑制手段３０が、貯水部１１から第一の排水管部３１を経て案内された雨水に渦流を生じさせる受入部３４を備える例を示したが、これに代えて、下水管２１への雨水の排出量を抑制することができれば、雨水に渦流を生じさせるための部材以外の部材を備える抑制手段を本発明に適用することができる。
【００４５】
また、本実施例では、オーバーフロー管２４が、流入管２０と流出口２３との間でマンホール２２に接続された例を示したが、これに代えて、オーバーフロー管２４を流入管２０と地表面０との間でマンホール２２に接続することができる。
【００４６】
更に、本実施例では、貯水部１１内にマンホール２２が配置された例を示したが、マンホールをそれぞれ不要とすることができる。この場合、マンホール２２に接続された流入管２０及びオーバーフロー管２４をそれぞれが貯水部１１内に直接開放するように該貯水部の側面１１ａに設けることができる。
【００４７】
また、本実施例では、貯水部１１の上面１２上、側面１１ａ上及び基礎部１５上に、それぞれ地中への雨水の浸透を防止するための防水被覆部材１３，１６，１８が設けられた例を示したが、これに代えて、貯水部１１内に貯留された雨水を地中に徐々に浸透させるために、貯水部１１の側面１１ａ上及び基礎部１５上に、それぞれ図示しない透水シートを設けることができる。
【図面の簡単な説明】
【００４８】
【図１】本発明に係る雨水貯水システムを概略的に示す縦断面図である。
【図２】本発明に係る充填部材を概略的に示す斜視図である。
【図３】本発明に係る抑制手段を概略的に示す縦断面図である。
【図４】本発明に係る抑制手段を概略的に示す横断面図である。
【符号の説明】
【００４９】
１０  雨水貯留システム
１１  貯水部
２４  オーバーフロー管
３０  抑制手段
３１  第一の排水管部
３２  第二の排水管部
３４  受入部
【図１】
2008190196.tif 000003
【図２】
2008190196.tif 000004
【図３】
2008190196.tif 000005
【図４】
2008190196.tif 000006